【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
非背景領域と、予め設定された輝度値と色差値を有する画素群で構成されている背景領域と、の２つの属性領域で構成されている画像を入力する入力手段と、
前記画像を構成する各画素の輝度値と色差値とを順次読み取る読み取り手段と、
注目画素について前記読み取り手段が読み取った輝度値と色差値とから、当該注目画素が前記背景領域内に属しているのか前記非背景領域内に属しているのかを判断する判断手段と、
前記注目画素が属している属性領域と、前記読み取り手段による読み取り順において前記注目画素よりも１つ前の前画素が属している属性領域とが異なる場合には、前記注目画素の輝度値と色差値とを、前記前画素が属するグループとは異なるグループのデータとしてメモリに記録し、前記注目画素が属している属性領域と、前記前画素が属している属性領域とが同じである場合には、前記注目画素の輝度値を、前記前画素が属するグループのデータとして既に前記メモリに記録済みのデータに隣接させて記録する記録手段と
前記記録手段により記録されたデータを出力する出力手段と
を備えることを特徴とする画像処理装置。
【請求項２】
前記予め設定された輝度値と色差値のデータを保持する保持手段を備え、
前記判断手段は、前記注目画素について前記読み取り手段が読み取った輝度値と前記保持手段が保持する輝度値との比較、前記注目画素について前記読み取り手段が読み取った色差値と前記保持手段が保持する色差値との比較、を行うことを特徴とする請求項１に記載の画像処理装置。
【請求項３】
更に、
前記判断手段により前記非背景領域内に属すると判断された画素の輝度値を、前記予め設定された輝度値と異なるように制御する手段を備え、
前記記録手段は、前記非背景領域内に属する画素の輝度値として、前記制御が成された輝度値を用いることを特徴とする請求項１又は２に記載の画像処理装置。
【請求項４】
更に、
前記判断手段により判断されたそれぞれの画素の属性領域を示す属性領域情報を作成する手段を備え、
前記出力手段は、前記データに加え、前記属性領域情報をも出力することを特徴とする請求項１に記載の画像処理装置。
【請求項５】
前記画像は、現実空間の画像とクロマキー合成する対象としての仮想空間の画像であって、前記背景領域はクロマキー色を表す輝度値と色差値を有する画素群で構成されていることを特徴とする請求項１乃至４の何れか１項に記載の画像処理装置。
【請求項６】
前記出力手段から出力されたデータを復号することで、前記画像の表示データを生成する画像処理装置であって、
前記出力手段が出力したデータを受信する受信手段と、
前記データの先頭から順に、前記データに記録されている輝度値若しくは色差値を、読み出し値として読み出す手段と、
前記読み出し値として輝度値を読み出した場合、当該輝度値が、前記非背景領域内に属する画素の輝度値であるのか、前記背景領域内に属する画素の輝度値であるのかを判断する手段と、
読み出した注目輝度値に対応する画素が属する属性領域と、当該注目輝度値よりも１つ前に読み出された輝度値に対応する画素が属する属性領域とが異なる場合には、前記注目輝度値に隣接して後続する色差値を注目色差値として読み出し、当該注目色差値を、当該注目色差値以降に読み出される輝度値と共に用いて画素を復元するために用いられる設定値として設定すると共に、前記注目輝度値と前記注目色差値とを用いて１つの画素を復元する手段と、
読み出した注目輝度値に対応する画素が属する属性領域と、当該注目輝度値よりも１つ先に読み出される輝度値に対応する画素が属する属性領域とが同じである場合には、当該読み出した注目輝度値と、当該注目輝度値が読み出される前に前記設定値として設定されている色差値と、を用いて１つの画素を復元する手段と、
復元された画素の色空間を変換して、表示データを生成する手段と
を備えることを特徴とする請求項１乃至５の何れか１項に記載の画像処理装置。
【請求項７】
画像処理装置が行う画像処理方法であって、
前記画像処理装置が有する入力手段が、非背景領域と、予め設定された輝度値と色差値を有する画素群で構成されている背景領域と、の２つの属性領域で構成されている画像を入力する入力工程と、
前記画像処理装置が有する読み取り手段が、前記画像を構成する各画素の輝度値と色差値とを順次読み取る読み取り工程と、
前記画像処理装置が有する判断手段が、注目画素について前記読み取り工程で読み取った輝度値と色差値とから、当該注目画素が前記背景領域内に属しているのか前記非背景領域内に属しているのかを判断する判断工程と、
前記画像処理装置が有する記録手段が、前記注目画素が属している属性領域と、前記読み取り工程での読み取り順において前記注目画素よりも１つ前の前画素が属している属性領域とが異なる場合には、前記注目画素の輝度値と色差値とを、前記前画素が属するグループとは異なるグループのデータとしてメモリに記録し、前記注目画素が属している属性領域と、前記前画素が属している属性領域とが同じである場合には、前記注目画素の輝度値を、前記前画素が属するグループのデータとして既に前記メモリに記録済みのデータに隣接させて記録する記録工程と
前記画像処理装置が有する出力手段が、前記記録工程で記録されたデータを出力する出力工程と
を備えることを特徴とする画像処理方法。
【請求項８】
前記出力工程で出力されたデータを復号することで、前記画像の表示データを生成する画像処理装置が行う画像処理方法であって、
前記画像処理装置が有する受信手段が、前記出力工程で出力したデータを受信する受信工程と、
前記画像処理装置が有する読み出し手段が、前記データの先頭から順に、前記データに記録されている輝度値若しくは色差値を、読み出し値として読み出す工程と、
前記画像処理装置が有する判断手段が、前記読み出し値として輝度値を読み出した場合、当該輝度値が、前記非背景領域内に属する画素の輝度値であるのか、前記背景領域内に属する画素の輝度値であるのかを判断する工程と、
前記画像処理装置が有する第１の復元手段が、読み出した注目輝度値に対応する画素が属する属性領域と、当該注目輝度値よりも１つ前に読み出された輝度値に対応する画素が属する属性領域とが異なる場合には、前記注目輝度値に隣接して後続する色差値を注目色差値として読み出し、当該注目色差値を、当該注目色差値以降に読み出される輝度値と共に用いて画素を復元するために用いられる設定値として設定すると共に、前記注目輝度値と前記注目色差値とを用いて１つの画素を復元する工程と、
前記画像処理装置が有する第２の復元手段が、読み出した注目輝度値に対応する画素が属する属性領域と、当該注目輝度値よりも１つ先に読み出される輝度値に対応する画素が属する属性領域とが同じである場合には、当該読み出した注目輝度値と、当該注目輝度値が読み出される前に前記設定値として設定されている色差値と、を用いて１つの画素を復元する工程と、
前記画像処理装置が有する生成手段が、復元された画素の色空間を変換して、表示データを生成する工程と
を備えることを特徴とする請求項７に記載の画像処理方法。
【請求項９】
コンピュータを、請求項１乃至６の何れか１項に記載の画像処理装置が有する各手段として機能させるためのコンピュータプログラム。
【請求項１０】
請求項９に記載のコンピュータプログラムを格納した、コンピュータ読み取り可能な記憶媒体。
【手続補正２】
【補正対象書類名】明細書
【補正対象項目名】００１３
【補正方法】変更
【補正の内容】
【００１３】
即ち、非背景領域と、予め設定された輝度値と色差値を有する画素群で構成されている背景領域と、の２つの属性領域で構成されている画像を入力する入力手段と、
前記画像を構成する各画素の輝度値と色差値とを順次読み取る読み取り手段と、
注目画素について前記読み取り手段が読み取った輝度値と色差値とから、当該注目画素が前記背景領域内に属しているのか前記非背景領域内に属しているのかを判断する判断手段と、
前記注目画素が属している属性領域と、前記読み取り手段による読み取り順において前記注目画素よりも１つ前の前画素が属している属性領域とが異なる場合には、前記注目画素の輝度値と色差値とを、前記前画素が属するグループとは異なるグループのデータとしてメモリに記録し、前記注目画素が属している属性領域と、前記前画素が属している属性領域とが同じである場合には、前記注目画素の輝度値を、前記前画素が属するグループのデータとして既に前記メモリに記録済みのデータに隣接させて記録する記録手段と
前記記録手段により記録されたデータを出力する出力手段と
を備えることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】